(57)【要約】【課題】読取処理の効率を向上させる。【解決手段】所定方向に移動する移動部を有し、当該移動部を移動させて白の基準を示す白基準マークと位置の基準を示す位置基準マークとを読み取る画像読取装置であって、前記位置基準マークを読み取るための第１読取解像度が前記白基準マークを読み取るための第２読取解像度よりも高い場合は、前記白基準マークと前記位置基準マークとを前記移動部の複数回の移動により読み取り、前記第１読取解像度が前記第２読取解像度以下である場合は、前記白基準マークと前記位置基準マークとを前記移動部の一回の移動により読み取る。【選択図】図３
2017130803.tif 000002
【特許請求の範囲】
【請求項１】
所定方向に移動する移動部を有し、当該移動部を移動させて白の基準を示す白基準マークと位置の基準を示す位置基準マークとを読み取る画像読取装置であって、
前記位置基準マークを読み取るための第１読取解像度が前記白基準マークを読み取るための第２読取解像度よりも高い場合は、前記白基準マークと前記位置基準マークとを前記移動部の複数回の移動により読み取り、
前記第１読取解像度が前記第２読取解像度以下である場合は、前記白基準マークと前記位置基準マークとを前記移動部の一回の移動により読み取る、ことを特徴とする画像読取装置。
【請求項２】
前記位置基準マークの少なくとも一部が前記白基準マークと重なった状態で配置されていることを特徴とする請求項１に記載の画像読取装置。
【請求項３】
前記第１読取解像度が前記第２読取解像度よりも高い場合は、前記移動部の移動により前記白基準マークを読み取った後、当該移動とは逆方向へ前記移動部を移動させて前記位置基準マークの読み取り開始のための位置へ前記移動部を戻し、その後、前記移動部の移動により前記位置基準マークを読み取ることを特徴とする請求項１または請求項２に記載の画像読取装置。
【請求項４】
前記第２読取解像度は、原稿を読み取るために設定された読取解像度であることを特徴とする請求項１〜請求項３のいずれかに記載の画像読取装置。
【請求項５】
前記白基準マークと前記位置基準マークとの読み取りを、電源投入後と、スリープ状態から通常状態へ復帰後とのそれぞれに実行することを特徴とする請求項１〜請求項４のいずれかに記載の画像読取装置。
【請求項６】
移動部を所定方向に移動させて白の基準を示す白基準マークと位置の基準を示す位置基準マークとを読み取る読取方法であって、
前記位置基準マークを読み取るための第１読取解像度が前記白基準マークを読み取るための第２読取解像度よりも高い場合は、前記白基準マークと前記位置基準マークとを前記移動部の複数回の移動により読み取り、
前記第１読取解像度が前記第２読取解像度以下である場合は、前記白基準マークと前記位置基準マークとを前記移動部の一回の移動により読み取る、ことを特徴とする読取方法。
【請求項７】
所定方向に移動する移動部を有し、当該移動部を移動させて白の基準を示す白基準マークと位置の基準を示す位置基準マークとを読み取る画像読取装置であって、
前記位置基準マークを読み取るために予め設定されている前記移動部の移動速度が前記白基準マークを読み取るための前記移動速度よりも遅い場合は、前記白基準マークと前記位置基準マークとを異なる前記移動速度により読み取り、
前記位置基準マークを読み取るために予め設定されている前記移動速度が前記白基準マークを読み取るための前記移動速度以上である場合は、前記白基準マークと前記位置基準マークとを同じ前記移動速度により読み取る、ことを特徴とする画像読取装置。
【発明の詳細な説明】
【技術分野】
【０００１】
本発明は、画像読取装置および読取方法に関する。
【背景技術】
【０００２】
所定方向に移動する移動部を有し、当該移動部を移動させて読取対象を読み取る画像読取装置が知られている。
【０００３】
また、一次元ラインセンサーによって、白基準部材の白基準画像を読み取り、各光電変換素子の出力に基づいて白基準データとして記憶し、原稿を読み取る際に、各光電変換素子の出力を補正用白基準データに基づいて補正するシェーディング補正機能を備えた画像読取装置が知られている（特許文献１参照）。
【０００４】
また、原稿画像をラインイメージセンサーに導く光学系の読取位置を移動する走行手段を有し、読取位置の移動経路上に設けた基準白画像をラインイメージセンサーで読み取ってシェーディング補正を行う画像読取装置において、基準白板には、基準白画像に連続して基準白画像と異なる濃度の濃度画像を設け、前記読取位置を基準白板をまたいで移動した際にラインイメージセンサーから出力される信号レベルに基づいて、基準白画像と濃度画像との境界を判別し、境界の座標値を読取位置の原点に設定する構成が知られている（特許文献２参照）。
【先行技術文献】
【特許文献】
【０００５】
【特許文献１】特開２００４‐１１２１０１号公報
【特許文献２】特開２００８‐２７１４６４号公報
【発明の概要】
【発明が解決しようとする課題】
【０００６】
画像読取装置では、白基準の読み取りに必要とされる読取解像度や、前記原点の特定時に必要とされる読取解像度は、多くの場合異なる。このように必要とされる読取解像度が様々である状況を考慮しつつ、読取処理をできるだけ効率的に行うことが求められていた。
【０００７】
本発明は上述の課題に鑑みてなされたものであり、読取処理の効率化に寄与する画像読取装置および読取方法を提供する。
【課題を解決するための手段】
【０００８】
本発明の態様の１つは、所定方向に移動する移動部を有し、当該移動部を移動させて白の基準を示す白基準マークと位置の基準を示す位置基準マークとを読み取る画像読取装置であって、前記位置基準マークを読み取るための第１読取解像度が前記白基準マークを読み取るための第２読取解像度よりも高い場合は、前記白基準マークと前記位置基準マークとを前記移動部の複数回の移動により読み取り、前記第１読取解像度が前記第２読取解像度以下である場合は、前記白基準マークと前記位置基準マークとを前記移動部の一回の移動により読み取る。
【０００９】
当該構成によれば、第１読取解像度と第２読取解像度との関係性に応じて移動部の移動の態様を変えることにより、白基準マークおよび位置基準マークの読取処理の効率を上げることができる。
【００１０】
本発明の態様の１つは、前記位置基準マークの少なくとも一部が前記白基準マークと重なった状態で配置されているとしてもよい。
当該構成によれば、前記重なりが無い場合と比べて移動部の移動距離が減り、読取処理がより効率化される。
【００１１】
本発明の態様の１つは、前記第１読取解像度が前記第２読取解像度よりも高い場合は、前記移動部の移動により前記白基準マークを読み取った後、当該移動とは逆方向へ前記移動部を移動させて前記位置基準マークの読み取り開始のための位置へ前記移動部を戻し、その後、前記移動部の移動により前記位置基準マークを読み取るとしてもよい。
当該構成によれば、白基準マーク、位置基準マークそれぞれを、必要な読取解像度にて適切に読み取ることができる。
【００１２】
本発明の態様の１つは、前記第２読取解像度は、原稿を読み取るために設定された読取解像度であるとしてもよい。
当該構成によれば、原稿の読取結果の補正に最適な白基準マークの読取結果が得られる。
【００１３】
本発明の態様の１つは、前記白基準マークと前記位置基準マークとの読み取りを、電源投入後と、スリープ状態から通常状態へ復帰後とのそれぞれに実行するとしてもよい。
当該構成によれば、電源投入後や、スリープ状態からの復帰後といったそれぞれのタイミングで、適切な白基準マークおよび位置基準マークの読取結果が得られる。
【００１４】
本発明の態様の１つは、所定方向に移動する移動部を有し、当該移動部を移動させて白の基準を示す白基準マークと位置の基準を示す位置基準マークとを読み取る画像読取装置であって、前記位置基準マークを読み取るために予め設定されている前記移動部の移動速度が前記白基準マークを読み取るための前記移動速度よりも遅い場合は、前記白基準マークと前記位置基準マークとを異なる前記移動速度により読み取り、前記位置基準マークを読み取るために予め設定されている前記移動速度が前記白基準マークを読み取るための前記移動速度以上である場合は、前記白基準マークと前記位置基準マークとを同じ前記移動速度により読み取る。移動部の移動速度の速い／遅いは、読取解像度の低い／高い、を意味する。このような構成によれば、位置基準マークを読み取るために予め設定されている移動速度（読取解像度）と、白基準マークを読み取るための移動速度（読取解像度）との関係性に応じて移動部の移動の態様を変えることにより、白基準マークおよび位置基準マークの読取処理の効率を上げることができる。
【００１５】
本発明の技術的思想は、画像読取装置という物以外によっても実現される。例えば、これまで説明した画像読取装置が実行する処理を、読取方法の発明として捉えることができる。また、このような方法をコンピューターに実行させるプログラムの発明や、プログラムを記憶したコンピューター読み取り可能な記憶媒体も一つの発明として成り立つ。
【図面の簡単な説明】
【００１６】
【図１】画像読取装置の主要部を簡易的に示す図。
【図２】移動部側から原稿台側を見たときの構成を示す図。
【図３】読取処理を示すフローチャート。
【図４】ステップＳ１２０〜Ｓ１４０における移動部の移動の様子を示す図。
【図５】ステップＳ１５０における移動部の移動の様子を示す図。
【発明を実施するための形態】
【００１７】
以下、各図を参照しながら本発明の実施形態を説明する。なお各図は、本実施形態を説明するための例示に過ぎない。
図１は、本実施形態にかかる画像読取装置１０の主要部を簡易的に例示している。画像読取装置１０を、フラットベッドスキャナーと呼んでもよい。画像読取装置１０は、光源により照射した読取対象を光学的に読み取る読取機能を少なくとも備えた装置である。従って、画像読取装置１０は、読取機能以外にも、例えば、印刷・コピー機能やファクシミリ通信機能等といった複数の機能を兼ね備えた製品（いわゆる複合機）であってもよい。
【００１８】
画像読取装置１０は、原稿台１１、読み取りを実行する読取部１２、原稿台１１に対して手動で開閉可能な原稿カバー１３、画像読取装置１０の各部の挙動を制御するための制御部１４、ユーザーによる操作を受け付ける操作受付部１５、等を含んでいる。制御部１４は、例えば、ＣＰＵ、ＲＯＭ、ＲＡＭ等を有するＩＣや、その他の記憶媒体等により構成される。制御部１４では、ＣＰＵが、ＲＯＭ等に保存されたプログラムに従った演算処理を、ＲＡＭ等をワークエリアとして用いて実行することにより画像読取装置１０の各部の挙動を制御し、読取機能等を実現する。
【００１９】
原稿台１１は、ガラス等の透明な板状の部材であり、ユーザーにより原稿が載置される。原稿カバー１３には、自動給紙装置（ＡＤＦ：Automatic Document Feeder）１６が搭載されていてもよい。つまり、原稿カバー１３が有する原稿トレイ１７へもユーザーにより原稿が載置され得る。ＡＤＦ１６は、原稿トレイ１７に載置された複数枚の原稿を一枚ずつ連続して、搬送経路Ｒに沿って搬送する。図１では、搬送経路Ｒを２点鎖線の矢印にて例示している。搬送経路Ｒの下流側には、排紙台１８が設けられており、ＡＤＦ１６により搬送経路Ｒに沿って搬送された原稿は、排紙台１８上へ排出される。
【００２０】
読取部１２は、原稿台１１よりも下方に配設されている。読取部１２は、原稿等の読取対象を照射する光源、読取対象からの反射光を導くミラーやレンズ等の光学系、導かれた反射光を受光して光電変換することにより読取対象を読み取るイメージセンサー１９、等を含んでいる。読取部１２は、原稿台１１の面と平行に所定方向Ｄ１に沿って移動可能な移動部２０を有する。移動部２０をキャリッジ等と呼んでもよい。移動部２０は、読取部１２の構成の少なくとも一部を搭載している。具体的には、読取部１２の構成のうち、光源および光学系の一部が移動部２０に搭載されている。一方、読取部１２の構成のうち、その他の光学系やイメージセンサー１９等は、画像読取装置１０内の所定位置に固定されている。ただし、イメージセンサー１９を含む読取部１２の全体が移動部２０に搭載されて移動部２０により移動する構成であってもよい。
【００２１】
イメージセンサー１９は、複数の撮像素子を原稿台１１の面と平行かつ方向Ｄ１と直交する方向Ｄ２に一次元配列させたラインセンサーである。方向Ｄ２（図２等参照）は、イメージセンサー１９の長手方向であるとともに、移動部２０の長手方向でもある。図示は省略しているが、画像読取装置１０は、移動部２０を方向Ｄ１に沿って移動させるためのモーターやギア等の動力機構を有する。読取部１２や当該動力機構の駆動（方向Ｄ１に沿った移動部２０の移動）も、制御部１４によって制御される。制御部１４は、原稿台１１に載置された原稿を読取対象とする場合は、移動体２０を移動させて原稿を読み取らせる。一方、ＡＤＦ１６により搬送される原稿を読取対象とする場合は、移動体２０を方向Ｄ１における所定位置に静止させて原稿を読み取らせる。
【００２２】
制御部１４は、読取対象の読み取り結果としての電気信号を読取部１２（イメージセンサー１９）から入力する。制御部１４は、入力した当該電気信号へ必要な画像処理を施して所定のフォーマットによる画像データを生成する。制御部１４は、生成した画像データを、外部機器３０へ送信することが可能である。外部機器３０は、画像読取装置１０と有線あるいは無線にて通信可能な状態で画像読取装置１０へ原稿の読み取り等を指示可能な機器であり、例えば、ＰＣ（パーソナルコンピューター）や、スマートフォン、タブレット型端末等が該当する。むろん、画像読取装置１０が印刷機能を備えていれば、制御部１４は、生成した画像データを当該印刷機能に提供し、当該画像データに基づく印刷をさせることができる。
【００２３】
図２は、移動部２０側から原稿台１１側を見たときの構成を例示している。図２では、方向Ｄ１の両端のうち一方を一方側Ｓ１と表記し、他方を他方側Ｓ２と表記している。ホームポジションＨＰは、読取部１２が稼働しないときに移動部２０が待機する位置であり、図２の例では、原稿台１１の縁（他方側Ｓ２の縁）近傍がホームポジションＨＰとされている。また、ホームポジションＨＰの近傍には、白の基準を示す白基準マーク２１と、位置の基準を示す位置基準マーク２２とが配置されている。
【００２４】
白基準マーク２１および位置基準マーク２２はいずれも、原稿台１１を挟んで移動部２０とは逆側に配置されている。図２の例では、白基準マーク２１は、ホームポジションＨＰよりもやや一方側Ｓ１に在り、位置基準マーク２２は、ホームポジションＨＰと白基準マーク２１との間に在る。ただし、位置基準マーク２２の少なくとも一部（一部あるいは全部）は、移動部２０側から見たとき方向Ｄ１において白基準マーク２１の一部と重なった状態で配置されている。
【００２５】
白基準マーク２１は、シェーディング補正のための白基準を提供する板状部材であり、方向Ｄ２において移動部２０およびイメージセンサー１９と同程度の長さを有する。制御部１４は、移動部２０を移動させて読取部１２が白基準マーク２１を読み取った読取結果（白基準画像データ）に基づいて、読取部１２が原稿を読み取った読取結果（原稿画像データ）を補正する。かかる補正により、イメージセンサー１９の撮像素子毎の感度の違い等を要因とする原稿画像データの画素毎のばらつきが是正される。
【００２６】
位置基準マーク２２は、白基準マーク２１とは反対に暗い色（黒）の部材である。制御部１４は、移動部２０を移動させて読取部１２が位置基準マーク２２（例えば、位置基準マーク２２の方向Ｄ１に交差する向きのエッジ）を読み取った時の移動部２０の方向Ｄ１における位置を、方向Ｄ１における座標の原点に設定する。制御部１４は、原点の設定後は、当該原点を基準に移動部２０の移動距離を制御することができる。
このように画像読取装置１０は、移動部２０を移動させて白基準マーク２１と位置基準マーク２２とを読み取る。
【００２７】
白基準マーク２１、位置基準マーク２２のそれぞれと読取解像度との関係について説明する。ここで、読取部１２による読取解像度には、移動部２０の移動方向つまり方向Ｄ１における読取解像度と、イメージセンサー１９の長手方向つまり方向Ｄ２における読取解像度とが有る。方向Ｄ２における読取解像度は、イメージセンサー１９を構成する撮像素子の１インチあたりの数に応じて決まっている。一方、方向Ｄ１における読取解像度は、移動部２０の移動速度に応じて変化する。以下に本実施形態で言及する読取解像度は、特に断らない限り方向Ｄ１における読取解像度を指す。
【００２８】
読取部１２が位置基準マーク２２を読み取るための読取解像度（第１読取解像度）は、予め定められた特定読取解像度あるいは当該特定読取解像度以上であることが求められる。特定読取解像度は、一例として、１２００ｄｐｉ（ドット／インチ）程度の比較的高い解像度である。上述したように位置基準マーク２２は、方向Ｄ１における原点を設定するためのマークであるため、高い精度でその位置（例えば前記エッジ）が検出される必要がある。このような位置基準マーク２２の検出に必要な精度を得るための読取解像度として、第１読取解像度は特定読取解像度に予め設定されている。
【００２９】
一方、読取部１２が白基準マーク２１を読み取るための読取解像度（第２読取解像度）は一定ではない。上述したように白基準マーク２１は、原稿画像データのシェーディング補正に用いる白基準画像データを得るために読み取られる。そのため、第２読取解像度は、原稿を読み取るための読取解像度（原稿読取解像度）と同じであることが基本的に求めれらる。画像読取装置１０に原稿をスキャンさせようとするユーザーは、操作受付部１５や外部機器３０を操作することにより、原稿読取解像度を任意に指示可能である。操作受付部１５や外部機器３０が提供するユーザーインターフェイス（ＵＩ）の仕様にもよるが、ユーザーは、例えば、原稿読取解像度の値を直接入力したり、予め用意された複数の原稿読取解像度読や読取モードの中から任意の選択を行うことで、原稿読取解像度を直接あるいは間接的に指示することができる。制御部１４は、このような指示に従って、原稿読取解像度の設定を行う（原稿読取解像度の設定を最新の当該指示に従って変更する）。原稿読取解像度は、例えば、１５０〜４８００ｄｐｉ程度の範囲内で設定される。
【００３０】
図３は、画像読取装置１０がプログラムに従って実行する読取処理（読取方法）をフローチャートにより示している。当該読取処理は、画像読取装置１０の電源投入後のタイミングや、画像読取装置１０がスリープ状態から通常状態へ復帰した後のタイミングで開始される。つまり、制御部１４は、画像読取装置１０が有する不図示の電源ボタンが操作されて電源オフ状態から電源オン状態への切り替わりを認識したタイミングで、当該読取処理を開始する。また、制御部１４は、画像読取装置１０がスリープ状態であるときに、外部からの所定の操作や入力（例えば、操作受付部１５に対する原稿スキャン開始の指示操作や、外部機器３０からの原稿スキャン開始命令の入力）を認識したタイミングで、通常状態へ復帰して当該読取処理を開始する。
【００３１】
スリープ状態とは、画像読取装置１０の少なくとも一部の機能を停止や制限して消費電力を低減させた状態である。一方、通常状態とは、画像読取装置１０がこのような機能の停止や制限をしていない状態である。制御部１４は、例えば、外部からの操作や入力が無い状態（無入力状態）が所定期間以上継続したときに、画像読取装置１０を通常状態からスリープ状態へ移行させる。スリープ状態を、省電力状態、節電状態、待機状態、等と呼んでもよい。
【００３２】
ステップＳ１００では、制御部１４は、白基準マーク２１の読み取りを開始するための読取開始位置ＳＰ１へ、移動部２０を移動させる。図２の例では、読取開始位置ＳＰ１を白基準マーク２１および位置基準マーク２２よりも一方側Ｓ１の所定位置としている。ステップＳ１００の開始時点では、移動部２０はホームポジションＨＰに在る。従って、ステップＳ１００により、移動部２０はホームポジションＨＰから読取開始位置ＳＰ１へ移動する。
【００３３】
ステップＳ１１０では、制御部１４は、位置基準マーク２２を読み取るための第１読取解像度（特定読取解像度）が白基準マーク２１を読み取るための第２読取解像度よりも高いか否かにより処理を分岐する。ステップＳ１１０の判定に用いる第２読取解像度は、現在の原稿読取解像度の設定値である。制御部１４は、第１読取解像度＞第２読取解像度である場合はステップＳ１２０へ進み、第１読取解像度≦第２読取解像度である場合はステップＳ１５０へ進む。
【００３４】
ステップＳ１２０〜Ｓ１４０では、制御部１４は、白基準マーク２１と位置基準マーク２２とを移動部２０の複数回の移動により読み取るように読取部１２を制御する。一方、ステップＳ１５０では、制御部１４は、白基準マーク２１と位置基準マーク２２とを移動部２０の一回の移動により読み取るように読取部１２を制御する。本実施形態では、停止した状態から移動を開始して停止するまでの移動部２０の動きを“一回の移動”と呼ぶ。
【００３５】
図４は、ステップＳ１２０〜Ｓ１４０における移動部２０の移動の様子を示している。図４の矢印Ａ１，Ａ２，Ａ３は、それぞれ一回の移動を表している。
具体的には、ステップＳ１２０（白基準読取工程）では、制御部１４は、移動部２０に読取開始位置ＳＰ１から他方側Ｓ２に向かって移動を開始させ、読取部１２に第２読取解像度（現在の原稿読取解像度の設定値）での読み取りを実行させる。これにより、読取部１２は、白基準マーク２１を第２読取解像度で読み取り、読み取り結果（白基準画像データ）を制御部１４へ出力する。移動部２０が白基準マーク２１上を通過し、読取終了位置ＥＰへ到達したとき、ステップＳ１２０を終える。矢印Ａ１は、ステップＳ１２０における移動部２０の移動範囲および移動方向を例示している。例えば、読取終了位置ＥＰは、白基準マーク２１および位置基準マーク２２よりも他方側Ｓ２に在り、かつホームポジションＨＰ（図２参照）よりも一方側Ｓ１に在る所定位置とされている。制御部１４は、ステップＳ１２０での移動部２０の移動により、白基準マーク２１の読み取り結果に続いて位置基準マーク２２の色（黒）を第２読取解像度で読み取った結果も得ることになるが、制御部１４は、このような位置基準マーク２２の読み取り結果は白基準画像データには含めない。
【００３６】
ステップＳ１３０（戻り工程）では、制御部１４は、ステップＳ１２０の終了時点で停止している移動部２０を一方側Ｓ１に向かって移動させる。移動部２０が位置基準マーク２２の読み取りを開始するための読取開始位置ＳＰ２へ到達したとき、ステップＳ１３０を終える。図４の矢印Ａ２は、ステップＳ１３０における移動部２０の移動範囲および移動方向を例示している。図４の例では、読取開始位置ＳＰ２は、位置基準マーク２２よりも一方側Ｓ１に在り、かつ読取開始位置ＳＰ１よりも他方側Ｓ２に在る所定位置とされている。
【００３７】
ステップＳ１４０（位置基準読取工程）では、制御部１４は、読取開始位置ＳＰ２で停止した移動部２０を他方側Ｓ２に向かって移動させ、読取部１２に第１読取解像度（特定読取解像度）での読み取りを実行させる。これにより、読取部１２は、位置基準マーク２２を第１読取解像度で読み取り、読み取り結果を制御部１４へ出力する。移動部２０が位置基準マーク２２上を通過し、読取終了位置ＥＰへ到達したとき、ステップＳ１４０を終える（当該フローチャート終了）。図４の矢印Ａ３は、ステップＳ１４０における移動部２０の移動範囲および移動方向を例示している。
【００３８】
このようにステップＳ１２０〜Ｓ１４０によれば、移動部２０の移動により白基準マーク２１を読み取った後、当該移動とは逆方向へ移動部２０を移動させて位置基準マーク２２の読み取り開始のための位置へ移動部２０を戻し、その後、移動部２０の移動により位置基準マーク２２を読み取る。
【００３９】
ステップＳ１４０により当該フローチャート終了を終えた後、制御部１４は、ステップＳ１４０において第１読取解像度で読み取られた位置基準マーク２２の読み取り結果に基づいて、前記原点を設定する。また、制御部１４は、ステップＳ１２０において第２読取解像度で読み取られた白基準マーク２１の読み取り結果（白基準画像データ）に基づいて、その後の読み取りにより得る原稿画像データのシェーディング補正を実行することができる。
【００４０】
図５は、ステップＳ１５０における移動部２０の移動の様子を示している。図５の矢印Ａ４は、一回の移動を表している。具体的には、ステップＳ１５０（白基準および位置基準読取工程）では、制御部１４は、移動部２０に読取開始位置ＳＰ１から他方側Ｓ２に向かって移動を開始させ、読取部１２に第２読取解像度（現在の原稿読取解像度の設定値）での読み取りを実行させる。これにより、読取部１２は、白基準マーク２１および位置基準マーク２２を第２読取解像度で続けて読み取り、読み取り結果を制御部１４へ出力する。移動部２０が読取終了位置ＥＰへ到達したとき、ステップＳ１５０を終える（当該フローチャート終了）。矢印Ａ４は、ステップＳ１５０における移動部２０の移動範囲および移動方向を例示している。矢印Ａ４が示す移動範囲および移動方向は、図３の矢印Ａ１が示す移動範囲および移動方向と基本的に同じである。
【００４１】
ステップＳ１５０により当該フローチャート終了を終えた後、制御部１４は、ステップＳ１５０において第２読取解像度で読み取られた位置基準マーク２２の読み取り結果に基づいて、前記原点を設定する。また、制御部１４は、ステップＳ１５０において第２読取解像度で読み取られた白基準マーク２１の読み取り結果（白基準画像データ）に基づいて、その後の読み取りにより得る原稿画像データのシェーディング補正を実行することができる。ステップＳ１５０で白基準マーク２１および位置基準マーク２２の読み取りに用いた第２読取解像度は、第１読取解像度（特定読取解像度）以上の値である。そのため、ステップＳ１５０の結果、位置基準マーク２２は十分に高い精度で検出されると言え問題ない。
【００４２】
このように本実施形態によれば、画像読取装置１０は、位置基準マーク２２を読み取るための第１読取解像度が白基準マーク２１を読み取るための第２読取解像度よりも高い場合は、白基準マーク２１と位置基準マーク２２とを移動部２０の複数回の移動により読み取り（例えば図４参照）、一方、第１読取解像度が第２読取解像度以下である場合は、白基準マーク２１と位置基準マーク２２とを移動部２０の一回の移動により読み取る（例えば図５参照）。このような第１読取解像度と第２読取解像度との関係性に応じて移動部２０の移動の態様を変えるという構成により、白基準マーク２１および位置基準マーク２２を必要な読取解像度で読み取りつつ、その読取処理の効率を上げることができる。特に、第１読取解像度が第２読取解像度以下である場合は、白基準マーク２１と位置基準マーク２２とを移動部２０の一回の移動で読み取るため、これら各マーク２１，２２を必要な精度にて効率的に読み取ることができる。
【００４３】
さらに本実施形態では、位置基準マーク２２の少なくとも一部は白基準マーク２１と重なった状態で配置されている。従って、当該重なりが無い場合と比べて、各マーク２１，２２の読み取りの過程で必要な移動部２０の移動距離（図４，５の各矢印参照）が短くなり、各マーク２１，２２の読取処理がより効率化される。
【００４４】
図４では、ステップＳ１２０における移動部２０の移動範囲（矢印Ａ１）の終点と、ステップＳ１４０における移動部２０の移動範囲（矢印Ａ３）の終点とをいずれも同じ読取終了位置ＥＰとしているが、これらは異なっていてもよい。例えば、ステップＳ１２０では、制御部１４は、移動部２０に読取開始位置ＳＰ１から他方側Ｓ２に向かって移動を開始させた後、読取部１２による読み取り結果から位置基準マーク２２の色（黒）を検出した時点で（移動部２０が位置基準マーク２２と重なった時点で）移動部２０を停止させ、ステップＳ１２０を終えてもよい。かかる構成とすれば、移動部２０の移動距離をより短くすることができる。
【００４５】
図３に示した読取処理について、さらに補足説明を行う。
画像読取装置１０がスリープ状態から通常状態へ復帰した後のタイミングで開始する場合の前記読取処理は、その後の原稿の読取を前提とした処理であると言える。この場合、操作受付部１５に対する前記原稿スキャン開始の指示操作や、外部機器３０からの前記原稿スキャン開始命令の入力に伴って、制御部１４は、原稿の読み取りに採用すべき原稿読取解像度（ユーザーが指示する原稿読取解像度）を認識し、当該原稿読取解像度を第２読取解像度として前記読取処理を実行する。
【００４６】
一方、画像読取装置１０の電源投入後のタイミングで開始する場合の前記読取処理は、電源投入に応じて画像読取装置１０が実行する起動処理の一部であると言える。この場合、制御部１４は、第１読取解像度＝第２読取解像度＝特定読取解像度とし（つまりステップＳ１１０からステップＳ１５０へ進み）、ステップＳ１５０では、移動部２０に読取開始位置ＳＰ１から他方側Ｓ２に向かって移動を開始させ、読取部１２に第２読取解像度（この場合は特定読取解像度）での読み取りを実行させる。これにより、読取部１２は、白基準マーク２１および位置基準マーク２２を特定読取解像度で読み取り、読み取り結果を制御部１４へ出力する。このように画像読取装置１０の電源投入後のタイミングで前記読取処理を開始した場合、制御部１４は、特定読取解像度での読み取りにより得た白基準画像データを、直後の連続した特定読取解像度での読み取りにより得た読み取り結果（位置基準マーク２２の読み取り結果）をシェーディング補正するために用いることができる。
【００４７】
読取部１２（イメージセンサー１９）が単位時間あたりに行う読み取りの回数が一定であるという前提に立てば、移動部２０の移動速度（方向Ｄ１に沿う移動の速度）は、読取部１２による読取解像度を表していると言える。つまり制御部１４は、移動部２０の移動速度を上げることで読取部１２による読取解像度を下げ、当該移動速度を下げることで読取部１２による読取解像度を上げることができる。従って本実施形態は、位置基準マーク２１を読み取るために予め設定されている移動部２０の移動速度が白基準マーク２２を読み取るための移動速度よりも遅い場合は、白基準マーク２１と位置基準マーク２２とを異なる移動速度により読み取り、位置基準マーク２１を読み取るために予め設定されている移動速度が白基準マーク２２を読み取るための移動速度以上である場合は、白基準マーク２１と位置基準マーク２２とを同じ移動速度により読み取る、という特徴を開示していると言える。
【００４８】
位置基準マーク２１を読み取るために予め設定されている移動部２０の移動速度とは、第１読取解像度（特定読取解像度）に対応する移動部２０の移動速度（第１移動速度）である。言い換えると、制御部１４は、移動部２０を予め定められた第１移動速度で移動させることで、読取部１２による特定読取解像度での読み取りを実現させる。一方、白基準マーク２２を読み取るための移動速度とは、第２読取解像度（原稿読取解像度）に対応する移動部２０の移動速度（第２移動速度）である。制御部１４は、例えば、原稿読取解像度が１５０ｄｐｉであれば第２移動速度をかなり速い速度に設定し、原稿読取解像度が４８００ｄｐｉであれば第２移動速度をかなり遅い速度に設定し、移動部２０を当該設定した第２移動速度で移動させることで、読取部１２による原稿読取解像度での読み取りを実現させる。
【００４９】
このような移動部２０の移動速度の違いに注目して図３に沿った説明をすると、画像読取装置１０は、第１移動速度＜第２移動速度（つまり、第１読取解像度＞第２読取解像度）である場合、ステップＳ１１０からステップＳ１２０へ進み、ステップＳ１２０では移動部２０を第２移動速度で移動させることにより白基準マーク２１を第２読取解像度で読み取り、ステップＳ１４０では移動部２０を第１移動速度で移動させることにより位置基準マーク２２を第１読取解像度で読み取る。一方、第１移動速度≧第２移動速度（つまり、第１読取解像度≦第２読取解像度）である場合、ステップＳ１１０からステップＳ１５０へ進み、ステップＳ１５０では移動部２０を第２移動速度で移動させることにより白基準マーク２１および位置基準マーク２２を第２読取解像度で読み取る。
【００５０】
当たり前のことであるが、白基準マーク２１と位置基準マーク２２とを読み取る際の移動部２０の移動速度が“同じ”と表現した場合、厳密な同一のみを意味するものではない。制御部１４が前記動力機構としてのモーターをフィードバック制御等して当該モーターが生みだす動力により移動部２０を移動させる際、移動速度を目標速度に維持しようとしても細かな時間毎に当該速度はばらつくのが普通である。従って、白基準マーク２１と位置基準マーク２２とを読み取る際の移動部２０の移動速度を同じにするとは、これらマーク２１，２２を読み取るための移動部２０の移動中において、一つの目標速度（第２移動速度）で移動するように前記動力機構を制御することを指す。
【００５１】
本発明は上述の実施形態に限られるものではなく、その要旨を逸脱しない範囲において種々の態様において実施することが可能であり、例えば後述するような各例を採用可能である。
【００５２】
上述したように白基準マーク２１と位置基準マーク２２とを異なる移動速度により読み取る場合、画像読取装置１０は、移動部２０の一回の移動の中で移動速度を変化させて白基準マーク２１と位置基準マーク２２とを読み取るとしてもよい。具体的には、画像読取装置１０は、第１移動速度＜第２移動速度（つまり、第１読取解像度＞第２読取解像度）である場合、移動部２０に開始位置ＳＰ１から他方側Ｓ２に向かって移動を開始させる際、先ず第２移動速度で移動部２０を移動させることにより白基準マーク２１を第２読取解像度で読み取る。そして、移動部２０を所定距離移動させたタイミングで移動部２０の移動速度を第２移動速度から第１移動速度へ減速させることにより、その後、位置基準マーク２２を第１読取解像度で読み取るとしてもよい。
【００５３】
ホームポジションＨＰと白基準マーク２１および位置基準マーク２２との位置関係は、図２の例に限られない。図２の例とは逆に、原稿台１１の一方側Ｓ１の縁近傍をホームポジションＨＰとし、ホームポジションＨＰに比較的近い位置であってホームポジションＨＰよりも他方側Ｓ２に、図２に例示したような白基準マーク２１および位置基準マーク２２が配置されているとしてもよい。このような配置を採用した場合、制御部１４は、ステップＳ１００（図３）で移動部２０をホームポジションＨＰから読取開始位置ＳＰ１（白基準マーク２１よりもやや一方側Ｓ１の位置）へ移動させる際、移動部２０を他方側Ｓ２に向けて移動させることになる。あるいは、ホームポジションＨＰ＝読取開始位置ＳＰ１として、図３のフローチャートにおいてステップＳ１００を不要としてもよい。
【符号の説明】
【００５４】
１０…画像読取装置、１１…原稿台、１２…読取部、１４…制御部、１５…操作受付部、１９…イメージセンサー、２０…移動部、２１…白基準マーク、２２…位置基準マーク、３０…外部機器
【図１】
2017130803.tif 000003
【図２】
2017130803.tif 000004
【図３】
2017130803.tif 000005
【図４】
2017130803.tif 000006
【図５】
2017130803.tif 000007